(57)【要約】【課題】特定の通信状態ではない期間において、特定機能を体験させる。【解決手段】電話機（１）は、特定機能を所定のユーザ操作に応じて実行する電話機能実行部（３３）と、特定機能を模擬した模擬機能を実行する電話機能模擬部（３４）と、自装置が特定の通信状態ではない期間において、特定機能が実行されることなく模擬機能が実行されるように制御するモード切替部（３２）とを備えている。【選択図】図１
2015144413.tif 000002
【特許請求の範囲】
【請求項１】
自装置が特定の通信状態であるときに実行される機能である特定機能を所定のユーザ操作に応じて実行する特定機能実行手段を備えた通信装置であって、
上記特定機能を模擬した模擬機能を、上記特定機能を実行させるためのユーザ操作と同一のまたは対応するユーザ操作に応じて実行する模擬機能実行手段と、
自装置が上記特定の通信状態ではない期間において、上記特定機能実行手段が上記特定機能を実行することなく、上記模擬機能実行手段が上記模擬機能を実行するように制御する機能実行制御手段と、を備えていることを特徴とする通信装置。
【請求項２】
上記模擬機能実行手段は、上記特定機能が実行されるときの自装置の物理的な状態を再現するユーザ操作を行わせるための通知を行い、
当該状態が再現されており、かつ模擬機能を実行させるためのユーザ操作が行われたときに当該模擬機能を実行することを特徴とする請求項１に記載の通信装置。
【請求項３】
上記模擬機能を実行させるためのユーザ操作として、上記特定機能を実行させるためのユーザ操作と同一のユーザ操作を含む、複数種類のユーザ操作が設定されており、
自装置の備える１または複数の機能を紹介する出力を行う機能紹介手段を備え、
上記機能実行制御手段は、上記機能紹介手段が機能の紹介を行っている期間には、複数種類の上記ユーザ操作のうち、上記特定機能を実行させるためのユーザ操作と同一のユーザ操作に応じて上記模擬機能実行手段が上記模擬機能を実行するように制御することを特徴とする請求項１または２に記載の通信装置。
【請求項４】
複数のキーからなる操作部を備え、
上記模擬機能を実行させるためのユーザ操作として、上記キーを複数使用したユーザ操作を含む、複数種類のユーザ操作が設定されており、
上記機能実行制御手段は、上記機能紹介手段が機能の紹介を行っていない期間には、複数種類の上記ユーザ操作のうち、キーを複数使用したユーザ操作に応じて上記模擬機能実行手段が上記模擬機能を実行するように制御することを特徴とする請求項３に記載の通信装置。
【請求項５】
上記模擬機能実行手段は、自装置が上記特定の通信状態ではない期間において、自装置が上記特定の通信状態にあることをユーザに通知するために上記特定機能実行手段が行う通知を模擬することを特徴とする請求項１〜４のいずれか１項に記載の通信装置。
【請求項６】
通信装置が特定の通信状態であるときに実行される機能である特定機能を、所定のユーザ操作に応じて実行する通信装置の制御方法であって、
上記通信装置が上記特定の通信状態ではない期間において、上記特定機能を実行することなく、上記特定機能を模擬した模擬機能を実行するように制御する機能実行制御ステップと、
上記模擬機能を、上記特定機能を実行させるためのユーザ操作と同一のまたは対応するユーザ操作に応じて実行する模擬機能実行ステップと、を含むことを特徴とする通信装置の制御方法。
【発明の詳細な説明】
【技術分野】
【０００１】
本発明は、機器の機能のデモンストレーションを実行する通信装置に関し、より詳細には、特定の通信状態にあるときに所定のユーザ操作に応じて予め定められた機能のデモンストレーションを実行する通信装置等に関する。
【背景技術】
【０００２】
近年、電話機などの通信装置は多様な機能を備えている。これまでに、購入前のユーザに対して店頭にて、販売促進のために、通信装置が備えている多様な機能を説明するための機能を備えている通信装置が開発されている。
【０００３】
例えば、下記の特許文献１には、デモンストレーション動作の実行時には、電波の混信を防止し、消費電力量を低減させつつ、必要に応じて無線による他の通信装置との通信状況を確認する通信装置が開示されている。なお、特許文献１のデモンストレーション動作は、ユーザが実際の操作を体験できるようなものではなく、機能の内容を単にユーザに提示するプレゼンテーションのような動作である。
【先行技術文献】
【特許文献】
【０００４】
【特許文献１】特開２０１０−４５７１３号公報（２０１０年２月２５日公開）
【特許文献２】特開２００２−３４４５７９号公報（２００２年１１月２９日公開）
【特許文献３】特開２００４−２６０８４８号公報（２００４年９月１６日公開）
【発明の概要】
【発明が解決しようとする課題】
【０００５】
ここで、通信装置が備える機能の中には、着信時または通信時のような特定の通信状態となっている場合に実行可能な機能がある。しかしながら、上述の従来のプレゼンテーション機能では、その特定の通信状態となるまで、このような機能を体験することができないという問題がある。例えば、着信時に実行可能な機能であれば、通信装置の購入後に通信装置が回線につながり、着信するまで、体験することはできなかった。
【０００６】
本発明の目的は、特定の通信状態であるときに実行される機能を、ユーザに疑似的に体験させることができる通信装置等を実現することにある。
【課題を解決するための手段】
【０００７】
上記の課題を解決するために、本発明の一態様に係る通信装置は、自装置が特定の通信状態であるときに実行される機能である特定機能を所定のユーザ操作に応じて実行する特定機能実行手段を備えた通信装置であって、上記特定機能を模擬した模擬機能を、上記特定機能を実行させるためのユーザ操作と同一のまたは対応するユーザ操作に応じて実行する模擬機能実行手段と、自装置が上記特定の通信状態ではない期間においてユーザ操作が行われたときに、上記特定機能実行手段が上記特定機能を実行することなく、上記模擬機能実行手段が上記模擬機能を実行するように制御する機能実行制御手段と、を備えている。
【０００８】
また、上記の課題を解決するために、本発明の一態様に係る通信装置の制御方法は、該通信装置が特定の通信状態であるときに実行される機能である特定機能を所定のユーザ操作に応じて実行する特定機能実行手段を備えた通信装置の制御方法であって、上記通信装置は、上記特定機能を模擬した模擬機能を、上記特定機能を実行させるためのユーザ操作と同一のまたは対応するユーザ操作に応じて実行する模擬機能実行手段を備え、上記通信装置が上記特定の通信状態ではない期間においてユーザ操作が行われたときに、上記特定機能実行手段が上記特定機能を実行することなく、上記模擬機能実行手段が上記模擬機能を実行するように制御する機能実行制御ステップを含んでいる。
【発明の効果】
【０００９】
本発明の一態様によれば、特定の通信状態ではない期間において、特定の通信状態であるときに実行される特定機能を通信装置のユーザに模擬的に体験させることができるという効果を奏する。
【図面の簡単な説明】
【００１０】
【図１】本発明の実施形態における電話機の要部構成を示すブロック図である。
【図２】上記電話機の外観を示す図である。
【図３】上記電話機の状態遷移の一例を示す状態遷移図である。
【図４】上記電話機の音量大デモ実行部が音量大デモモードにおいて参照する実行パターン情報の一具体例を示す図である。
【図５】上記音量大デモモードにおける処理の流れを示すフローチャートである。
【図６】上記電話機のお名前確認デモ実行部がお名前確認デモモードにおいて参照する実行パターン情報の一具体例を示す図である。
【図７】上記お名前確認デモモードにおける処理の流れを示すフローチャートである。
【図８】本発明の他の実施形態における電話機の要部構成を示すブロック図である。
【図９】上記電話機のお名前確認デモ実行部がお名前確認デモモードにおいて参照する実行パターン情報の一具体例を示す図である。
【図１０】上記電話機のお名前確認デモ実行部がお名前確認デモモードにおいて参照する実行パターン情報の他の具体例を示す図である。
【図１１】上記お名前確認デモモードにおける処理の流れを示すフローチャートである。
【図１２】（ａ）および（ｂ）は、上記お名前確認デモモードにおける処理の間に、上記電話機のお名前確認デモ実行部からの指示に従って、上記電話機の電話機能実行部が実行する処理の流れを示すフローチャートである。
【発明を実施するための形態】
【００１１】
≪実施形態１≫
本発明の一実施形態について図１〜図５に基づいて説明すると以下の通りである。以下の各実施形態では、本発明の通信装置を電話機に適用した場合について説明する。なお、本明細書において「デモンストレーション（またはデモ）機能」とは、電話機が備えている各種機能を模擬して、ユーザからの入力操作に応じた挙動をユーザに提示することにより、当該機能をユーザに疑似体験させることができる機能を意味する。そして、「デモモード」は、上記電話機が上記デモ機能を実行している状態を意味する。これに対し、「非デモモード」は、デモモードではない状態を意味する。なお、上述の従来のプレゼンテーション機能（電話機の備える各機能を、音声、文字、画像、光などを用いて、該電話機の周囲の者に対して順次提示する機能）を実行している状態を意味する「プレゼンモード」も「非デモモード」に含まれる。
【００１２】
〔電話機１の外観〕
図２は、本実施形態にかかる電話機１（通信装置）の外観の一例を示す図である。図２に示すように、電話機１は、その外観形状において、操作部２、受話器４、第２音声出力部６および表示部７を備えている。なお、電話機１は、通話機能を備えていればよく、ファクシミリ機能等、他の機能をさらに備えていてもよい。
【００１３】
操作部２は、電話機１を操作するためのものであり、例えば、ハードウェアキーで構成される。具体的には、操作部２は、例えば、通信相手のダイヤル番号を入力するためのテンキー、ならびに、シャープ（＃）キーおよびアスタリスク（＊）キーなどを含むキー群Ｂ０を含む。また、表示部７に登録電話番号を表示させるための電話帳ボタンＢ１、受話音量を変更する（音量大機能（特定機能）を実行させる）ための音量大ボタンＢ２、電話機１が実行している機能を停止するための停止ボタンＢ３、および、お名前確認機能（特定機能）を実行させるためのお名前確認ボタンＢ４などを含む。音量大ボタンＢ２は、電話機１の音量大機能および当該音量大機能をデモンストレーションする際に用いられる。また、お名前確認ボタンＢ４は、お名前確認機能および当該お名前確認機能のデモ機能を呼び出す際に用いられる。電話機１が備える機能としての、上記音量大機能および上記お名前確認機能については、詳細を後述する。また、本実施形態においては、キー群Ｂ０、音量大ボタンＢ２およびお名前確認ボタンＢ４の背面には、ＬＥＤ９（図１）などの発光素子が設けられており、ボタンが光を透過して点灯または点滅する構成である。
【００１４】
受話器４は、ユーザが音声を電話機に入力したり、電話機が出力する音声を聴取したりするためのものであり、図示していない音声入力部、および、音声を出力するための後述する第１音声出力部４１（図１）を備えている。音声入力部は、該音声入力部付近の音を集音して、集音した音を電気信号に変換して制御部３に出力するものであり、例えばマイクである。また、第１音声出力部４１は、制御部３が出力した電気信号を音に変換して出力するものであり、例えば、スピーカである。第１音声出力部４１は、受話器４を耳に当てて使用しているユーザの耳に音声を届けるのに使用される。なお、図２では、受話器４がコードレスである例を示している。つまり、正確には、受話器４は、受話子機と呼ばれるものである。無論、受話器４は電話機１の本体とコードで接続されていてもよい。また、電話機１は、１または複数の子機を設けることが可能となっていてもよく、子機を操作することによっても、デモを体験できるようにしてもよい。
【００１５】
第２音声出力部６は、第１音声出力部４１と同様、制御部３から出力された電気信号を音として外部に出力するものであり、例えばスピーカであってもよい。なお、他の実施形態では、第２音声出力部６は、後述のお名前確認機能のデモモードにおいて生成される音声を出力する。図２において、第２音声出力部６は受話器４に設けられているが、電話機１の任意の位置に配置されてもよく、第２音声出力部６の配置は特に限定されない。
【００１６】
表示部７は、制御部３の制御に従って画像を表示するものである。特に、表示部７は、電話機１がデモモードを実行している場合、ユーザが選択可能な操作内容を表示したり、当該デモモードにおいて現在実行されている工程を表示したりする。その他、表示部７は、例えば、着信相手の電話番号、入力した電話番号等、他の電話機との通話に関わる情報、および、各種機能の実行操作をガイドするためのメニュー画面等、ユーザが電話機１を操作するために参照する情報などを表示してもよい。表示部７としては、例えば、ＬＣＤ（液晶ディスプレイ）、有機ＥＬディスプレイなどを適用することが可能である。
【００１７】
〔電話機１の構成〕
図１は、電話機１の要部構成の一例を示すブロック図である。図１に示すように、電話機１は、操作部２、制御部３、受話器４、記憶部５、第２音声出力部６、表示部７、フック８およびＬＥＤ９を備えている。
【００１８】
フック８は、受話器４の状態、具体的には、受話器４が外れているか否かを検出して、その検出信号を制御部３に出力する。
【００１９】
ＬＥＤ（バックライトＬＥＤ）９は、発光素子であり、操作部２の各種ボタンの背面等に設けられている。制御部３の指示に従い点灯または点滅する。点滅の間隔、発光色についても制御部３が制御できるようになっていてもよい。
【００２０】
記憶部５は、フラッシュメモリなどの不揮発性の記憶装置によって構成され、特に、電話機１が本発明の通信装置として機能するために必要なプログラムを格納する。また、記憶部５は、電話機能記憶部５１およびデモ実行情報記憶部５２を含む。
【００２１】
電話機能記憶部５１は、電話機１の電話機能実行部（特定機能実行手段）３３が非デモモードにおいて参照する情報を格納するものである。具体的には、音量大機能およびお名前確認機能において使用される図示しない音声データ、および、表示データなどが格納される。また、上述のプレゼンテーション機能に係るプログラムなどが格納されている。
【００２２】
デモ実行情報記憶部５２は、電話機１の電話機能模擬部（模擬機能実行手段）３４がデモモードにおいて参照する情報を格納するものである。具体的には、デモ実行情報記憶部５２には、実行パターン情報５２１、音声データ５２２、および表示データ５２３が格納されている。
【００２３】
実行パターン情報５２１は、デモモードにおける電話機能模擬部３４のユーザ操作に応じた挙動内容を示す情報である。電話機能模擬部３４が、上記実行パターン情報５２１に従った挙動を実行することにより、電話機能実行部３３の機能が模擬される。
【００２４】
音声データ５２２は、デモモードにおいて、電話機能模擬部３４が、電話機能実行部３３の機能を模擬する際に使用する音声データであり、該音声データに基づいて第２音声出力部６（または第１音声出力部４１）からの音声出力が行われる。表示データ５２３は、デモモードにおいて、電話機能模擬部３４が、電話機能実行部３３の機能を模擬する際に使用する表示データであり、該表示データに基づいて表示部７への表示が行われる。
【００２５】
制御部３は、記憶部５から一時記憶部（不図示）に読み出されたプログラムを実行することにより、各種の演算を行うと共に、電話機１が備える各部を統括的に制御するものである。
【００２６】
本実施形態では、制御部３は、機能ブロックとして、操作入力取得部３１、モード切替部（機能実行制御手段）３２、電話機能実行部３３、電話機能模擬部３４、音声制御部３５および表示制御部３６を備える構成である。これらの制御部３の各機能ブロック（３１〜３６）は、ＣＰＵ（central processing unit）が、ＲＯＭ（read only memory）等で実現された記憶装置（記憶部５）に記憶されているプログラムをＲＡＭ（random access memory）等で実現された一時記憶部に読み出して実行することで実現できる。
【００２７】
操作入力取得部３１は、ユーザが電話機１を操作することによって、操作部２またはフック８から出力される信号を取得するものである。具体的には、操作入力取得部３１は、操作部２から出力された信号に応じて、操作部２のいずれのキーが押下されたのかを示すキー情報をモード切替部３２に送信する。また、フック８から出力された信号に応じて、受話器４が外れているか否かを示す受話器状態情報をモード切替部３２に送信する。
【００２８】
モード切替部３２は、電話機１のモードの切り替えを行うものである。具体的には、モード切替部３２は、電話機１の現在のモードと、そのモードのときに入力されたキー情報に基づいて、電話機１のモードを、非デモモードまたはデモモードに切り替える。
【００２９】
そして、モード切替部３２は、電話機１のモードをデモモードに切り替えた場合、デモモードの開始を電話機能模擬部３４に指示する。また、デモモードの間、モード切替部３２は、操作入力取得部３１から受信したキー情報または受話器状態情報を電話機能模擬部３４に供給する。なお、デモモードには後述する音量大デモモードとお名前確認デモモードとがあり、これら２つのデモモードを実行する機能を電話機１が有している場合には、モード切替部３２は、実行すべきデモモードの特定も行う。なお、音量大デモモードで実行される機能が音量大機能の模擬機能である。また、お名前確認デモモードで実行される機能がお名前確認の模擬機能である。
【００３０】
一方、モード切替部３２は、電話機１のモードを非デモモードに切り替えた場合、非デモモードの開始を電話機能実行部３３に指示する。また、非デモモードの間、モード切替部３２は、操作入力取得部３１から受信したキー情報または受話器状態情報を電話機能実行部３３に供給する。なお、非デモモードのうち、プレゼンモードに設定されているとき（プレゼンテーションの実行中）には、上記の各情報を電話機能実行部３３の販促機能実行部（機能紹介手段）３３１に供給する。モード切替部３２が切り替える電話機１の各モードの詳細については、図３を用いて後述する。
【００３１】
電話機能実行部３３は、非デモモード下で電話機１の各部を制御することにより、電話機１が備える機能を実行するものである。電話機能実行部３３が実行する機能には、通信回線を介して通信相手と通話するための通話機能、通話中の受話音量を所定の音量まで大きくする音量大機能、および、ユーザが受話器を上げて応答する前に（オンフック状態で）発信元の名前を確認するためのお名前確認機能が含まれる。また、電話機能実行部３３は、音声制御部３５、音声制御部３５、およびＬＥＤ制御部３７などを制御して、ユーザに対して各種情報を提供することもできる。
【００３２】
さらに、電話機能実行部３３は、販促機能実行部３３１を備えている。販促機能実行部３３１は、プレゼンモードへの遷移を制御すると共に、プレゼンモード下においては、電話機１の各部を制御することにより上述のプレゼンテーション機能を実行する。ここで、プレゼンモードは、主に店頭などで適用することを想定したモードであり、通信回線に接続して実使用する際には適用の必要がなくなる。つまり、プレゼンモードは、通常、電話機１が通信不可能な状態で使用されるモードであると言える。このため、販促機能実行部３３１は、電話機１の電源がＯＮとなって所定時間が経過しても通信回線に接続されたことが確認されない場合に、プレゼンモードに遷移させてもよい。これにより、店頭では容易にプレゼンテーションを実行させることができ、電話機１が購入された後は不要なプレゼンテーションが実行され難くすることができる。
【００３３】
なお、電話機能実行部３３が実行する上述の各機能は、例えば、電話機能記憶部５１に格納されているプログラムを実行することによって実現されてもよい。無論、プログラムの格納場所は任意であってこの例に限られない。
【００３４】
電話機能模擬部３４は、デモモード下で電話機１の各部を制御することにより、電話機１が備えるデモ機能を実行するものである。具体的には、電話機能模擬部３４は、音量大デモモード下において、上記音量大機能のデモを実行する音量大デモ実行部３４１と、お名前確認デモモード下において、上記お名前確認機能のデモを実行するお名前確認デモ実行部３４２とを含む。なお、本実施形態では、音量大デモ実行部３４１の詳細を説明し、お名前確認デモ実行部３４２の詳細な説明は後述の実施形態２で行う。つまり、本実施形態の電話機１は、少なくとも音量大デモ実行部３４１を備えていればよく、お名前確認デモ実行部３４２は省略してもよい。
【００３５】
音量大デモ実行部３４１は、モード切替部３２からデモモードの開始の指示を受信すると音量大デモモードの処理を実行する。具体的には、音量大デモ実行部３４１は、上記指示を受信後、ユーザの操作に伴って電話機１に入力されるキー情報または受話器状態情報をモード切替部３２から受信する。音量大デモ実行部３４１は、デモ実行情報記憶部５２に格納されている実行パターン情報５２１を参照し、上記キー情報または受話器状態情報に応じて、電話機１が、音量大機能を模擬するように、音声制御部３５、表示制御部３６およびＬＥＤ制御部３７を制御する。音量大デモモードに対応する実行パターン情報５２１の詳細は後に図４に基づいて説明する。
【００３６】
音声制御部３５は、音声データを生成し、第１音声出力部４１または第２音声出力部６に出力する。具体的には、音声制御部３５は、電話機能実行部３３または電話機能模擬部３４によって指定された、電話機能記憶部５１に格納されている音声データ（図示せず）またはデモ実行情報記憶部５２に格納されている音声データ５２２を読み出し、音声データを生成する。そして、生成した音声データを第１音声出力部４１または第２音声出力部６に出力させる。
【００３７】
表示制御部３６は、表示データを生成し、表示部７に表示する。具体的には、表示制御部３６は、電話機能実行部３３または電話機能模擬部３４によって指定された、電話機能記憶部５１に格納されている表示データ（図示せず）またはデモ実行情報記憶部５２に格納されている表示データ５２３を読み出し、これを表示可能な形式に変換したデータを生成する。そして、生成したデータを表示部７に出力させる。
【００３８】
ＬＥＤ制御部３７は、操作部２の各キーに設けられたＬＥＤ９の発光を制御する。具体的には、ＬＥＤ制御部３７は、電話機能実行部３３または電話機能模擬部３４からの指示にしたがって、指定されたキーのＬＥＤ９の点灯、点滅および消灯を制御する。
【００３９】
〔電話機１の状態遷移〕
次に、電話機１の状態遷移について図３を用いて具体的に説明する。図３は、電話機１の状態遷移の一例を示す状態遷移図である。
【００４０】
まず、電話機１が遷移する状態について説明する。電話機１は、モード切替部３２の制御下で、以下の４つの状態（モード）のいずれかに遷移して、自機が備える各種機能を実行することにより本発明の通信装置として機能する。
【００４１】
１つ目は、待機モードＳｔ１である。待機モードＳｔ１は、非デモモードであって、電話機１に電源が入っており、操作入力取得部３１が操作部２を介して入力される操作指示を受け付け可能な状態である。
【００４２】
２つ目は、プレゼンモードＳｔ４である。プレゼンモードＳｔ４も、非デモモードであって、電話機能実行部３３によって実行される電話機１の機能のうち、プレゼンテーション機能が、販促機能実行部３３１によって実行されている状態である。プレゼンテーション機能は、電話機１の販売を促進するために用いられる。例えば、店頭に展示のために設置されている電話機１では、プレゼンモードＳｔ４下で、販促機能実行部３３１により、電話機１が備えている機能についての音声ガイドが第２音声出力部６から出力される。また、この際に、ＬＥＤ９を点灯または点滅させてもよい。
【００４３】
３つ目は、音量大デモモードＳｔ２である。音量大デモモードＳｔ２は、デモモードであって、上記音量大機能を模擬したデモを行うモードである。音量大デモモードＳｔ２は、音量大デモ実行部３４１によって実行される。音量大デモモードＳｔ２の間、操作部２を介して入力されるキー情報、および、フック８から出力される受話器状態情報は、音量大デモ実行部３４１に供給される。
【００４４】
４つ目は、お名前確認デモモードＳｔ３である。お名前確認デモモードＳｔ３は、デモモードであって、上記お名前確認機能を模擬したデモを行うモードである。お名前確認デモモードＳｔ３は、お名前確認デモ実行部３４２によって実行される。お名前確認デモモードＳｔ３の間、操作部２を介して入力されるキー情報、および、フック８から出力される受話器状態情報は、お名前確認デモ実行部３４２に供給される。
【００４５】
次に、電話機１のモード遷移について説明する。電話機１のモード遷移は、モード切替部３２が操作入力取得部３１からの出力にしたがった切り替えにより実現する。図３に示す例では、電話機１は、電源が入り待機モードＳｔ１になると、以下のいずれかのイベントの発生をトリガとして、上述のＳｔ２〜Ｓｔ４のいずれかのモードに遷移する。
【００４６】
具体的には、待機モードＳｔ１において、キー群Ｂ０のうち［＊］［７］［９］および［２］のキーならびに電話帳ボタンＢ１が押下されるイベント、または、お名前確認ボタンＢ４が押下されるイベントＥ１が発生すると、電話機１は、お名前確認デモモードＳｔ３に遷移する。すなわち、モード切替部３２が、電話機１のモードを待機モードＳｔ１からお名前確認デモモードＳｔ３に切り替える。
【００４７】
一方、待機モードＳｔ１において、キー群Ｂ０のうち［＊］［７］［９］および［１］のキーならびに電話帳ボタンＢ１が押下されるイベントＥ２が発生すると、モード切替部３２は、音量大デモモードＳｔ２に切り替える。
【００４８】
また、待機モードＳｔ１が開始されてから（電源がオンになってから）、ユーザの操作が検出されることなく２０分経過するイベントＥ３が発生すると、電話機１はプレゼンモードＳｔ４に遷移する。なお、電話機１において通信の回線が未設定であることをプレゼンモードＳｔ４の開始条件に加えてもよい。
【００４９】
一方、図３に示すとおり、電話機１は、上述のＳｔ２〜Ｓｔ４のいずれかのモードを終了して、別のモードに遷移する場合には、以下の所定のイベントをトリガにする。
【００５０】
具体的には、プレゼンモードＳｔ４において、操作部２におけるお名前確認ボタンＢ４以外の所定のキーが押下されるイベントＥ５が発生すると、電話機１は、プレゼンモードＳｔ４を終了し、待機モードＳｔ１に遷移する。ここで、プレゼンモードＳｔ４から待機モードＳｔ１に戻るのに用いられる所定のキーとしては、例えば、お名前確認ボタンＢ４以外の、キー群Ｂ０、電話帳ボタンＢ１、音量大ボタンＢ２、および、停止ボタンＢ３等が挙げられる。また、所定のキーとしては、上述したキー群Ｂ０、電話帳ボタンＢ１、音量大ボタンＢ２、および、停止ボタンＢ３などのうち特定の１つのキーが用いられてもよいし、上述の複数のキーの組み合わせが用いられてもよい。
【００５１】
また、プレゼンモードＳｔ４において、お名前確認ボタンＢ４が押下されるイベントＥ４が発生すると、電話機１は、プレゼンモードＳｔ４を終了し、お名前確認デモモードＳｔ３に遷移する。なお、プレゼンモードＳｔ４において、音量大ボタンＢ２が押下されるイベントが発生したときに、音量大デモモードＳｔ２に遷移する構成としてもよい。
【００５２】
さらに、お名前確認デモモードＳｔ３において、停止ボタンＢ３が押下される、操作部２からの入力がなく、かつフック８から受話器４が上がったことを示す受話器状態情報の入力がないまま３０秒経過する、または、受話器４が置かれるというイベントＥ７が発生すると、電話機１はお名前確認デモモードＳｔ３を終了し、待機モードＳｔ１に遷移する。
【００５３】
また、音量大デモモードＳｔ２において、停止ボタンＢ３のキーが押下される、または、受話器４が置かれるというイベントＥ６が発生すると、電話機１は音量大デモモードＳｔ２を終了し、待機モードＳｔ１に遷移する。
【００５４】
なお、図３の例では、待機モードＳｔ１からお名前確認デモモードＳｔ３への遷移のためのイベント（ユーザ操作）と、プレゼンモードＳｔ４からお名前確認デモモードＳｔ３への遷移のためのイベント（ユーザ操作）とが重複している。しかしながら、これらのイベントを完全に異ならせてもよい。また、この場合、待機モードＳｔ１においては、［＊］［７］［９］および［２］のキーならびに電話帳ボタンＢ１が押下されるイベントをお名前確認デモモードＳｔ３への遷移のためのイベントとし、プレゼンモードＳｔ４においては、お名前確認ボタンＢ４の押下をお名前確認デモモードＳｔ３への遷移のためのイベントとすることが好ましい。これにより、電話機１の機能を紹介するためのプレゼンモードにおいては、お名前確認機能（実機能）を実行させる場合と同じキー操作で容易にお名前確認デモモードＳｔ３に遷移させることができる。また、通話などを行うための操作が行われる可能性のある待機モードＳｔ１においては、複数のキーを組み合わせた操作がイベントとなっていることにより、ユーザの意図しない、お名前確認デモモードＳｔ３への遷移が行われることを防ぐことができる。音量大デモモードＳｔ２への遷移についても同様であり、待機モードＳｔ１からの遷移は誤操作が発生しないようなイベントを契機とすることが好ましく、プレゼンモードＳｔからの遷移はユーザ操作が容易であるようなイベントを契機とすることが好ましい。
【００５５】
〔実行パターン情報〕
図４は、音量大デモ実行部３４１が音量大デモモードにおいて参照する実行パターン情報５２１の一具体例を示す図である。
【００５６】
音量大デモ実行部３４１は、電話機能実行部３３が実行する音量大機能を実使用環境に近い環境でユーザに体験してもらうために、音量大デモモードを実行する。図４に示す実行パターン情報５２１は、音量大デモ実行部３４１が音量大機能を模擬できるようにするために、ユーザ操作に応じた挙動内容を音量大デモ実行部３４１に対して指示する情報を含む。
【００５７】
具体的には、実行パターン情報５２１は、電話機１が出力する対象となる情報を特定する出力情報を含む。出力情報としては、これに限定されないが、例えば、表示部７に出力すべき表示情報Ｄ１〜Ｄ４およびＤ２１〜Ｄ２２、第１音声出力部４１（または第２音声出力部６）に出力すべき音声情報Ｖ１〜Ｖ２、ＬＥＤ９の点灯、消灯を制御するための点灯情報Ｌ１〜Ｌ３などが挙げられる。表示情報Ｄ１〜Ｄ４およびＤ２１〜Ｄ２２の表示データ本体は、表示データ５２３として、音声情報Ｖ１〜Ｖ２の音声データ本体は、音声データ５２２として、記憶部５に記憶されている。
【００５８】
なお、各種出力情報は、出力対象の情報を出力する具体的な方法を指示または指定する命令を含んでいてもよい。例えば、表示情報Ｄ２は、表示情報Ｄ２１と表示情報Ｄ２２とを所定秒間隔で交替表示することを指示する命令を含む。音声情報Ｖ１、Ｖ２は、それぞれ、音声出力時の音量を指定する命令を含む。点灯情報Ｌ１〜Ｌ３は、図示しないが、点滅の場合の点灯、消灯の交替秒数（またはミリ秒数）を指定する命令を含む。
【００５９】
さらに、実行パターン情報５２１は、上述の情報を出力すべきタイミングを指示するイベント情報Ｅ１０〜Ｅ１６を含む。いくつかのイベント情報には、電話機１に対して行われるユーザ操作が具体的に指定されている。そのため、音量大デモ実行部３４１は、実行パターン情報５２１にしたがって、ユーザがどのような操作を行ったのかに応じて、その操作が行われたタイミングで、表示部７の表示を変えたり、音声を第１音声出力部４１から出力したり、操作部２の特定のキーに設けられたＬＥＤ９の点灯、消灯を制御したりすることができる。
【００６０】
実行パターン情報５２１の上述のデータ構造によれば、音量大デモ実行部３４１は、実行パターン情報５２１にしたがって、ユーザ操作に応じて、適切な内容の情報を適切なタイミングで出力することができる。すなわち、ユーザ操作の受け付け後の挙動も含めて、音量大機能を模擬することができる。結果として、音量大機能を実使用環境に近い環境でユーザに体験してもらうことが可能となる。
【００６１】
〔音量大デモモードの処理の流れ〕
次に、図４に示す具体例を用いて、図５を参照しながら、音量大デモモードにおける処理の流れについて説明する。図５は、本実施形態に係る音量大デモモードにおける処理の流れを示すフローチャートである。なお、ここでは待機モードから音量大デモモードに遷移した場合の処理を説明するが、プレゼンモードから遷移した場合の処理も同様である。なお、図５のＳ３〜Ｓ１１は、模擬機能を実行する模擬機能実行ステップである。
【００６２】
モード切替部３２が、電話機１が待機モードであるときに、音量大デモを呼び出す所定の操作（例えば、［＊］［７］［９］［１］＋電話帳ボタンＢ１の押下（図４のＥ１０））がなされたと判断した場合に（Ｓ１においてＹＥＳ）、待機モードから音量大デモモードへとモードを切り替える（Ｓ２:機能実行制御ステップ）ことにより、音量大デモモードは開始される。
【００６３】
音量大デモ実行部３４１は、Ｓ２にてモードが切り替えられると、音量大デモモードの処理を開始し、まず、受話器４を上げるユーザ操作を促すガイダンスを表示する（Ｓ３（図４のＤ２））。このガイダンスにしたがってユーザは受話器４を上げる操作を行うことができる。
【００６４】
ここで、音量大デモ実行部３４１は、電話機１が特定の物理的な状態となっている状態において実行される機能を、その物理的な状態を再現した上でユーザに疑似体験させる。具体的には、電話機１の受話器が上げられているという物理的な状態において実行される音量大機能に対応する音量大デモを、ユーザに受話器を上げさせた状態で体験させる。
【００６５】
ユーザが受話器４を上げると、フック８が、受話器４が外れていることを示す受話器状態情報を操作入力取得部３１に出力する。操作入力取得部３１が上記受話器状態情報を受け付けると、モード切替部３２を介して、受話器４が外れた旨が音量大デモ実行部３４１に通知される（Ｓ４においてＹＥＳ）。受話器４が外れると（図４のＥ１１）、音量大デモ実行部３４１は、音声制御部３５を制御して音声（図４のＶ１）を、音量“通常”で、第１音声出力部４１に出力する。なお、音量大デモ実行部３４１は、音量大デモモードが開始されたときに、Ｓ４に先行して、音量を初期化する（音量をデフォルトの設定である“通常”に戻す）ステップを常に実行する構成であってもよい。さらに、音量大デモ実行部３４１は、Ｓ５にて音声が出力されている間、表示制御部３６を制御して、音量大デモが実行されていることを示すために、テキストまたは画像（図４のＤ３）を表示部７に表示してもよい。このとき、音量大デモ実行部３４１は、点灯情報Ｌ１（図４）にしたがってＬＥＤ制御部３７を制御して、音量大ボタンＢ２のＬＥＤ９を消灯のままにしておく。
【００６６】
Ｓ５における音声出力が終了すると（図４のＥ１２）、音量大デモ実行部３４１は、表示制御部３６を制御して、音量大ボタンＢ２の押下を促すテキストまたは画像（図４のＤ４）を表示部７に表示する（Ｓ６）。このとき、音量大デモ実行部３４１は、図４の点灯情報Ｌ２にしたがって、音量大ボタンＢ２を所定ミリ秒間隔で点滅させてもよい。これらの音声、表示およびＬＥＤのガイダンスにしたがって、ユーザは音量大ボタンＢ２を操作することができる。
【００６７】
ユーザが音量大ボタンＢ２を押下すると、操作部２を介して入力された信号に基づいて操作入力取得部３１が、音量大ボタンＢ２が押下されたことを判断し（Ｓ７においてＹＥＳ）、そのキー情報がモード切替部３２を介して音量大デモ実行部３４１に通知される。
【００６８】
音量大デモ実行部３４１は、上記の通知を受け取ると（図４のＥ１３）、まず、直前の音量の設定が“通常”であるのか“大”であるのか判断する。直前の設定が音量“通常”であれば（Ｓ８においてＮＯ）、音量大デモ実行部３４１は、音量“大”で音声（図４のＶ２）を出力する。なお、Ｓ７〜Ｓ１１の処理ループにおいて、初回のＳ８の判断はＮＯとなる。これにより、ユーザは、音量大ボタンＢ２の押下に伴って、受話音量が大きくなることを体験することができる。ここで、音量大デモ実行部３４１は、音声が出力されている間、表示をＤ４からＤ３に切り替え（Ｓ９）、音量大ボタンＢ２のＬＥＤ９を点灯させる（図４のＬ３）。
【００６９】
続いて、音声出力が終了すると（図４のＥ１４）、音量大デモ実行部３４１は、再度、音量大ボタンＢ２の押下を促すテキストまたは画像（図４のＤ４）を表示部７に表示する（Ｓ１０）。さらに、音量大ボタンＢ２のＬＥＤ９を点滅させてもよい（図４のＬ２）。これにより、ユーザは音量大ボタンＢ２を操作することができ、音量大デモの体験を継続することができる。
【００７０】
一方、ユーザが上記体験を終了したい場合には、上げていた受話器４を置いたり（オンフックにしたり）、停止ボタンＢ３を押下したりすればよい。いずれかの操作がユーザによって行われた場合には（Ｓ１１においてＹＥＳ、図４のＥ１６）、キー情報または受話器状態情報が、操作入力取得部３１を介してモード切替部３２に供給される。これに伴い、モード切替部３２は、音量大デモモードから待機モードへとモードを切り替え（図４のＤ１）、音量大デモ実行部３４１は、音量大デモモードの処理を終了する。
【００７１】
これに対し、ユーザが上記体験を継続する場合、ユーザは、Ｓ１０のガイダンスにしたがって、音量大ボタンＢ２を再度押下する（図４のＥ１５）。この場合、Ｓ７〜Ｓ１１の処理ループが繰り返される。ここで、２回目のループでは、音量が“大”となっているの（Ｓ８においてＹＥＳ）で、音量大デモ実行部３４１は、音声（図４のＶ１）を第１音声出力部４１に出力し、また、表示部７の表示をＤ４からＤ３に切り替える（Ｓ１２）。これにより、ユーザは、再度の音量大ボタンＢ２の押下に伴って、受話音量が通常に戻ることを体験することができる。以降、ユーザによって音量大ボタンＢ２が押下されるごとに、Ｓ９およびＳ１２が交互に繰り返される。
【００７２】
なお、音量大機能のデモモードにおいて生成される音声は、第２音声出力部６を用いて出力してもよい。この場合、ユーザに受話器４を上げさせる必要はないので、受話器４を上げさせるための誘導は行わず、オンフックの状態で音声出力すればよい。
【００７３】
また、上記のフローチャートでは、Ｓ５にて通常音量で音声出力しているが、通常音量よりも大きい音声で音声出力してもよい。この場合、Ｓ９では、Ｓ５にて出力した音量に対して音量大機能を適用し、さらに大きい音量として出力する。例えば、音量大デモを呼び出す所定の操作（例えば、［＊］［７］［９］［４］＋電話帳ボタンＢ１の押下）がなされたと判断した場合（Ｓ１）に、一時的に音量を最大音量（例えば、５段階で音量を設定できる構成であれば音量「５」）に設定してもよい。そして、Ｓ９では、この最大音量に音声大機能を適用して、最大音量を超える音量で音声出力してもよい。
【００７４】
上記の構成によれば、電話機１が展示される店頭等の騒々しい場所で音量大デモを実行した場合においても、ユーザに聞こえやすい音量でデモを行うことにより、この機能を確実にユーザに実感させることができる。
【００７５】
≪実施形態２≫
本発明の他の実施形態について、図１〜３および図６〜図７に基づいて説明すれば、以下のとおりである。なお、説明の便宜上、実施形態１にて説明した部材と同じ機能を有する部材については、同じ符号を付記し、その説明を省略する。
【００７６】
本実施形態の電話機能模擬部３４は、お名前確認デモ実行部３４２を含んでおり、音量大デモ実行部３４１は必須の構成要素ではない。お名前確認デモ実行部３４２は、音量大デモ実行部３４１と同様に、モード切替部３２からデモモードの開始の指示を受信すると、ユーザの操作に伴って電話機１に入力されるキー情報または受話器状態情報をモード切替部３２から受信する。そして、デモ実行情報記憶部５２に格納されている実行パターン情報５２１を参照し、上記キー情報または受話器状態情報に応じて、電話機１がお名前確認機能を模擬するように制御を行う。
【００７７】
〔実行パターン情報〕
図６は、お名前確認デモ実行部３４２がお名前確認デモモードを実行するときに参照する実行パターン情報５２１の一具体例を示す図である。
【００７８】
お名前確認デモ実行部３４２は、電話機能実行部３３が実行するお名前確認機能を実使用環境に近い環境でユーザに体験してもらうために、お名前確認デモモードを実行する。図６に示す実行パターン情報５２１は、お名前確認デモ実行部３４２がお名前確認機能を模擬できるようにするために、ユーザ操作に応じた挙動内容をお名前確認デモ実行部３４２に対して指示する情報を含む。
【００７９】
具体的には、実行パターン情報５２１は、電話機１が出力する対象となる情報を特定する出力情報を含む。出力情報としては、これに限定されないが、例えば、表示部７に出力すべき表示情報Ｄ１、Ｄ１１〜Ｄ１６、Ｄ２３〜Ｄ２４、第２音声出力部６（または第１音声出力部４１）に出力すべき音声情報Ｖ１１〜Ｖ１２などが挙げられる。表示情報Ｄ１、Ｄ１１〜Ｄ１６、Ｄ２３〜Ｄ２４の表示データ本体は、表示データ５２３として、音声情報Ｖ１１〜Ｖ１２の音声データ本体は、音声データ５２２として、記憶部５に記憶されている。
【００８０】
なお、各種出力情報は、出力対象の情報を出力する具体的な方法を指示または指定する命令を含んでいてもよい。例えば、表示情報Ｄ１２は、表示情報Ｄ２３と表示情報Ｄ２４とを所定秒間隔で交替表示することを指示する命令を含む。音声情報Ｖ１２は、音声を所定回数（例えば、３回）繰り返すことを指示する命令を含む。
【００８１】
さらに、実行パターン情報５２１は、上述の情報を出力すべきタイミングを指示するイベント情報Ｅ２０〜Ｅ２８を含む。いくつかのイベント情報には、電話機１に対して行われるユーザ操作が具体的に指定されている。そのため、お名前確認デモ実行部３４２は、実行パターン情報５２１にしたがって、ユーザがどのような操作を行ったのかに応じて、その操作が行われたタイミングで、表示部７の表示を変えたり、音声を第２音声出力部６から出力したりすることができる。
【００８２】
実行パターン情報５２１の上述のデータ構造によれば、お名前確認デモ実行部３４２は、実行パターン情報５２１にしたがって、ユーザ操作に応じて、適切な内容の情報を適切なタイミングで出力することができる。すなわち、ユーザ操作の受け付け後の挙動も含めて、お名前確認機能を模擬することができる。結果として、お名前確認機能を実使用環境に近い環境でユーザに体験してもらうことが可能となる。
【００８３】
〔お名前確認デモモードの処理Ａの流れ〕
次に、図６に示す具体例を用いて、図７を参照しながら、お名前確認デモモードにおける処理Ａの流れについて説明する。図７は、お名前確認デモモードにおける処理Ａの流れを示すフローチャートである。なお、ここでは待機モードからお名前確認デモモードに遷移した場合の処理Ａを説明するが、プレゼンモードから遷移した場合の処理Ａも同様である。なお、図７のＳ２３〜Ｓ３１は、模擬機能を実行する模擬機能実行ステップである。
【００８４】
また、ここでは、お名前確認ボタンＢ４の押下によって、お名前確認デモモードに遷移する条件を下記のように設定した例を説明する。下記の（１）（２）の条件を満たしていれば、待機状態においてお名前確認ボタンＢ４が押下されたときに、お名前確認デモモードに遷移する。この他、プレゼンモードにおいてお名前確認ボタンＢ４が押下されたときにもお名前確認デモモードに遷移する。この設定は、電話機１の実使用時にユーザの誤操作によってお名前確認デモモードに遷移する事態を防ぐことを目的としている。
（１）プレゼンモードへの遷移の可否を規定する設定が、プレゼンモードへの遷移が可能となっている。
（２）電話機１が通信回線に接続されていない（回線が未設定）。
【００８５】
モード切替部３２が、電話機１が待機モードであるときに、お名前確認デモを呼び出す所定の操作（例えば、［＊］［７］［９］［２］＋電話帳ボタンＢ１の押下、または、プレゼンモードにおいてお名前確認ボタンＢ４の押下（図６のＥ２０））がなされたと判断した場合に（Ｓ２１においてＹＥＳ）、待機モードからお名前確認デモモードへとモードを切り替える（Ｓ２２:機能実行制御ステップ）ことにより、お名前確認デモモードは開始される。なお、上記の通り、お名前確認デモモードへの遷移は、上記条件（１）（２）の双方を満たしている場合に行われる。条件（１）を満たしているか否かは、プレゼンモードへの遷移の可否を規定する設定を参照することで判断することができる。また、条件（２）を満たしているか否かは、周知技術を適用することにより判断することができる。
【００８６】
お名前確認デモ実行部３４２は、Ｓ２２にてモードが切り替えられると、お名前確認デモの処理を開始する。具体的には、お名前確認デモ実行部３４２は、デモの開始を通知するガイダンスを表示するとともに（図６のＤ１１）、お名前確認機能実行時に出力される音声を模擬した音声（図６のＶ１１）を第２音声出力部６から出力する（Ｓ２３）。これにより、ユーザは、お名前確認機能が有効になっている場合に、発信元に対して音声情報Ｖ１１が伝達されることを理解することができる。
【００８７】
続いて、音声情報Ｖ１１の音声出力が終了すると（図６のＥ２１）、お名前確認デモ実行部３４２は、実行パターン情報５２１にしたがって、ユーザ操作を促すガイダンスを表示する（Ｓ２４）。具体的には、ユーザが選択可能な選択肢（図６のＤ１２）を表示部７に表示させる。つまり、ユーザに対して、「１．繰り返し」、「２．拒否」および「３．録音」の３つの選択肢が提示される。
【００８８】
これにより、ユーザは、音声情報Ｖ１１の音声を聞いた発信元の反応（例えば、発信元が名前を名乗るなど）を踏まえて、音声情報Ｖ１１の音声出力を繰り返すか、着信を拒否するか、上記発信元との通話を録音するかの何れかを選択できることを理解することができる。ユーザは、体験を継続するためには、促されたとおり、所望の選択肢に対応するテンキー（キー群Ｂ０の［１］［２］または［３］）を押下すればよい。
【００８９】
ユーザが、テンキー［１］を押下した場合（図６のＥ２６）、モード切替部３２を介して、［１］のキー情報がお名前確認デモ実行部３４２に供給される。この場合（Ｓ２５において１）、お名前確認デモ実行部３４２は、表示制御部３６および音声制御部３５を制御して、表示部７にガイダンス（図６のＤ１３）を表示させるとともに、発信元に名乗らせるための音声（図６のＶ１１）を第２音声出力部６に再度出力させる（Ｓ２６）。上記音声の出力が終了すると（図６のＥ２７）、お名前確認デモ実行部３４２は、Ｓ２４に戻り、以降の処理を繰り返す。これは、実使用時に、ユーザが［１］を選択したことに応じて、電話機能実行部３３によって、発信元に名乗らせるための音声が再度出力されることを模擬したものである。これにより、ユーザは、発信元が名を名乗るまで上記音声を繰り返し流すことができるということを理解することができる。
【００９０】
一方、ユーザがテンキー［２］を押下した場合（図６のＥ２５）、モード切替部３２を介して、［２］のキー情報がお名前確認デモ実行部３４２に供給される。この場合（Ｓ２５において２）、お名前確認デモ実行部３４２は、表示制御部３６および音声制御部３５を制御して、表示部７に拒否処理中であることを示すガイダンス（図６のＤ１４）を表示させるとともに、通話の拒否を発信元に伝える音声（図６のＶ１２）を第２音声出力部６に繰り返し出力させる（Ｓ２７）。そして、３回目の音声出力が終了すると（図６のＥ２８）、モード切替部３２は、お名前確認デモモードが終了したと判断し、モードを待機モードに切り替える。これは、実使用時に、ユーザが［２］を選択したことに応じて、電話機能実行部３３によって着信拒否の処理が実行されると、電話機１がお名前確認機能を終わらせることを模擬したものである。これにより、ユーザは、発信元が名を名乗らないなどの理由で電話に出たくないときには、着信拒否できるということを理解することができる。
【００９１】
また一方、ユーザがテンキー［３］を押下した場合（図６のＥ２２）、モード切替部３２を介して、［３］のキー情報がお名前確認デモ実行部３４２に供給される。この場合（Ｓ２５において３）、お名前確認デモ実行部３４２は、表示制御部３６を制御して、表示部７にユーザ操作を促すガイダンス（図６のＤ１５）を表示させる（Ｓ２８）。続いて、ユーザが受話器４を上げると（図６のＥ２３）、モード切替部３２を介して、受話器４が外れたことを示す受話器状態情報がお名前確認デモ実行部３４２に供給される。この場合（Ｓ２９においてＹＥＳ）、お名前確認デモ実行部３４２は、表示制御部３６を制御して録音処理中であることを示すガイダンス（図６のＤ１６）を表示部７に表示させる（Ｓ３０）。これは、実使用時に、ユーザが［３］を選択したことに応じて、電話機能実行部３３が、通話中に音声を録音することを模擬したものである。これにより、ユーザは、［３］を選択した後、受話器４を上げて電話に出れば、通話中の音声の録音が開始されるということを理解することができる。続いて、ユーザが、通話が終了した体で、上げていた受話器４を置いた場合（図６のＥ２４）、モード切替部３２を介して、受話器４が置かれたことを示す受話器状態情報がお名前確認デモ実行部３４２に供給される。この場合（Ｓ３１においてＹＥＳ）、モード切替部３２は、お名前確認デモモードが終了したと判断し、モードを待機モードに切り替える。これは、実使用時に、ユーザが通話を終了すると、電話機１がお名前確認機能を終わらせることを模擬したものである。こうして、ユーザは、ガイダンスにしたがって実際に電話機１を操作することにより、実際に使用する前であっても、電話機１のお名前確認機能の一連の挙動を確認することが可能となる。
【００９２】
≪実施形態３≫
本発明の他の実施形態について、図８〜図１２に基づいて説明すれば、以下のとおりである。なお、説明の便宜上、前記実施形態１〜２にて説明した部材と同じ機能を有する部材については、同じ符号を付記し、その説明を省略する。
【００９３】
前記実施形態２では、お名前確認機能を模擬的に体験することができるお名前確認機能デモを説明した。ここで、ユーザは、お名前確認機能デモを使用するのではなく、お名前確認機能を通常使用する場合、電話機１（図２参照）に着信があり、着信音が鳴動しているときに、お名前確認ボタンＢ４を押下することによって、お名前確認機能を発動させる。しかし、前記実施形態２で説明したお名前確認機能デモでは、着信音が鳴動していないときに、お名前確認ボタンＢ４（または、特定のボタンの組み合わせ）を押下された場合、お名前確認機能を発動している電話機１の動作を模擬するように、電話機１が動作する。
【００９４】
そこで、本実施形態では、電話機１０がお名前確認機能を発動する前の段階、すなわち着信音が鳴動している段階から、電話機１０の動作を模擬するお名前確認機能デモを説明する。本実施形態のお名前確認機能デモによれば、ユーザは、お名前確認機能を実際に使用する際の状況により近い状況の下で、より分かり易く、お名前確認機能を体験することができる。
【００９５】
なお、特許文献２〜３には、電話機の機能のデモとしてではなく、着信音を鳴動させること自体を目的としてではあるが、着信があった場合の動作を模擬して、着信音を鳴動させる電話機が記載されている。
【００９６】
〔電話機１０の構成〕
図８は、本実施形態に係る電話機１０の要部構成の一例を示すブロック図である。電話機１０は、前記実施形態１〜２の電話機１（図１参照）とは、デモ実行情報記憶部５２に記憶されているデータが異なる。具体的には、電話機１０のデモ実行情報記憶部５２には、実行パターン情報５２１の代わりに、実行パターン情報５２４が記憶されている。なお、本実施形態の電話機１０の外観は、図２に示す前記実施形態１〜２の電話機１の外観と同じである。
【００９７】
実行パターン情報５２４は、前記実施形態１で説明した実行パターン情報５２１と同様に、デモモードにおける電話機能模擬部３４のユーザ操作に応じた挙動内容を示す情報である。電話機能模擬部３４は、実行パターン情報５２４に従った挙動を実行することにより、電話機１０の電話機能実行部３３の機能を模擬する。
【００９８】
図９は、実行パターン情報５２４を示す図である。図９に示すように、実行パターン情報５２４は、前記実施形態１〜２の実行パターン情報５２１に含まれる表示情報Ｄ１１〜Ｄ１６に加えて、表示情報Ｄ１０をさらに含んでいる。表示情報Ｄ１０は、お名前確認ボタンＢ４を押下することをユーザに促すメッセージである。
【００９９】
ここで、図９に示す実行パターン情報５２４では、表示情報Ｄ１０〜Ｄ１６に含まれるメッセージはカナ文字で構成されている（「中」という文字を除く）。しかしながら、実行パターン情報５２４に含まれるメッセージは、電話機１０において、表示可能な文字であるならば、どのような種類の文字で構成されていてもよい。
【０１００】
図１０の（ａ）〜（ｃ）は、実行パターン情報５２４に含まれる表示情報の他の例を示す図である。実行パターン情報５２４は、前述した表示情報Ｄ１０〜Ｄ１２の代わりに、図１０の（ａ）〜（ｃ）に示す表示情報Ｄ１０Ａ〜Ｄ１２Ａを含んでいてもよい。表示情報Ｄ１０Ａ〜Ｄ１２Ａは、いずれも、漢字仮名交じりのメッセージである。ユーザは、カナ文字のメッセージよりも、漢字仮名交じりのメッセージを読み慣れているので、上記の構成によれば、ユーザが、メッセージを読みやすいという利点がある。また、カナ文字のみのメッセージと比較して、漢字仮名交じりのメッセージは、文字数が削減されるので、表示部７の画面が小さい場合であっても、メッセージが画面に収まり易くなる。
【０１０１】
また、制御部３は、図９に示す表示情報Ｄ１、Ｄ１０〜Ｄ１６を、表示部７の画面に一行のメッセージとして表示してもよいし、複数行のメッセージとして表示してもよい。すなわち、メッセージが表示部７の画面に収まるならば、制御部３は、何行のメッセージを表示してもよい。図１０の（ａ）において、表示情報Ｄ１０Ａは、２行のメッセージとして表示されている。また、図１０の（ｂ）において、表示情報Ｄ１１Ａは、３行のメッセージとして表示されている。上記の構成によれば、メッセージを複数行に分けて表示することができるので、より長いメッセージを表示することができる。
【０１０２】
また、上記の構成によれば、複数行のメッセージを１度に表示できるので、メッセージの各行に、それぞれ異なる情報を表示することもできる。
【０１０３】
例えば、図１０の（ａ）に示す表示情報Ｄ１０Ａには、電話機１０がお名前確認デモモードであることを示す情報と、お名前確認ボタンＢ４を押下するようにユーザに促す情報とが、異なる行に表示されている。そのため、ユーザは、表示情報Ｄ１０Ａを見ることによって、電話機１０が既にお名前確認デモモードに入っており、お名前確認機能を体験するためには、次にお名前確認ボタンＢ４を押下すればよいことを知ることができる。
【０１０４】
また、図１０の（ｂ）に示す表示情報Ｄ１１Ａには、電話機１０が発信元の電話機のユーザに名前を確認していることを示す情報と、着信に応答する場合には電話機１０から受話器４を外すようにユーザに促す情報とが、異なる行に表示されている。また、表示情報Ｄ１１Ａが表示されると同時に、発信元の電話機のユーザに名前を確認する音声を模擬した音声が音声情報Ｖ１１として出力される。そのため、ユーザは、表示情報Ｄ１１Ａを見ることによって、電話機１０が発信元の電話機のユーザに名前を確認する動作を模擬していることを知ることができる。または、ユーザは、お名前確認機能を実際に使用しているとき、着信に応答するならば、受話器４を取ればよいことを知ることができる。
【０１０５】
さらに、表示部７の画面が十分に大きいならば、制御部３は、図９に示す表示情報Ｄ１０〜Ｄ１６のうちの複数を、表示部７の画面に一度に表示してもよい。
【０１０６】
例えば、制御部３は、図９に示すように、表示情報Ｄ２３と表示情報Ｄ２４とを交替で表示する代わりに、図１０の（ｃ）に示すように、表示情報Ｄ２３および表示情報Ｄ２４の内容を含む表示情報Ｄ１２Ａを表示してもよい。上記の構成によれば、１つの表示情報Ｄ１２Ａによって、複数の情報を１度にユーザに通知することができる。
【０１０７】
特に、図９に示す表示情報Ｄ２３および表示情報Ｄ２４は、並列の関係にある選択肢である。そのため、ユーザが、これらの表示情報が並列の関係に選択肢であることを理解しやすいように、表示情報Ｄ２３および表示情報Ｄ２４は、別々に表示されるよりも、図１０の（ｃ）に示す表示情報Ｄ１２Ａのように、一度に表示される方が望ましい。
【０１０８】
〔お名前確認デモモードの処理Ｂの流れ〕
次に、図９に示す具体例を使って、図１１、および図１２の（ａ）（ｂ）を参照しながら、本実施形態のお名前確認デモモードにおける処理Ｂの流れについて説明する。なお、以下では、電話機１０が待機モードからお名前確認デモモードに遷移した場合に実行される処理Ｂの流れを説明するが、電話機１０がプレゼンモードからお名前確認デモモードに遷移した場合に実行される処理Ｂの流れも同じである。
【０１０９】
図１１は、お名前確認デモモードにおける処理Ｂの流れを示すフローチャートである。処理Ｂはお名前確認デモ実行部３４２によって実行される。図１２の（ａ）および（ｂ）は、処理Ｂにおいて、お名前確認デモ実行部３４２からの指示に従って動作する電話機能実行部３３の動作の流れを示すフローチャートである。
【０１１０】
図１１に示すように、お名前確認デモモードにおける処理Ｂでは、電話機１０がお名前確認デモモードに切り替えられた（Ｓ２２）後で、お名前確認機能実行時に出力される音声を模擬した音声が出力される（Ｓ２３）前に、お名前確認デモ実行部３４２が、電話機能実行部３３に対して、着着信があった場合の動作を模擬して、着信音を鳴動させるように指示する（Ｓ２２１〜Ｓ２２４）。お名前確認デモモードにおける処理Ｂは、これらのＳ２２１〜Ｓ２２４以外は、前記実施形態２で説明したお名前確認デモモードにおける処理Ａと共通である。そのため、以下では、図１１に示すステップのうち、前記実施形態２の処理Ａ（図７参照）で説明したステップと同じステップの説明を省略する。具体的には、Ｓ２１〜Ｓ２２までと、Ｓ２３〜Ｓ３１までの説明を省略する。
【０１１１】
図１１に示すように、お名前確認デモモードにおける処理Ｂでは、Ｓ２２の後、お名前確認デモ実行部３４２が、電話機能実行部３３に対して、着信を受けているときの電話機１０の動作を模擬して着信音を鳴動させる処理である擬似着信音鳴動処理を実行するように指示する（Ｓ２２１）。
【０１１２】
また、お名前確認デモ実行部３４２は、表示制御部３６に対して、お名前確認ボタンＢ４（図２参照）を押下することをユーザに促す表示情報Ｄ１０（図９参照）を表示するように指示するとともに、ＬＥＤ制御部３７に対して、お名前確認ボタンＢ４を赤色で点滅させるように指示する（Ｓ２２２）。ユーザは、図９に示すメッセージとして表示された表示情報Ｄ１０、および、点滅しているお名前確認ボタンＢ４を見ることによって、お名前確認ボタンＢ４を押下する操作を行うことを促されていることを理解する。
【０１１３】
その後、お名前確認デモ実行部３４２は、１０秒間、お名前確認ボタンＢ４を押下する操作（図９のＥ２９参照）の検出を待つ（Ｓ２２３）。一方、電話機能実行部３３は、お名前確認デモ実行部３４２の指示に従って、擬似着信音鳴動処理を開始する。
【０１１４】
図１２の（ａ）に示すように、擬似着信音鳴動処理において、電話機能実行部３３は、まず、２０００ｍｓの期間を待機する（Ｓ３１）。
【０１１５】
次に、電話機能実行部３３は、音声制御部３５に対して、着信音を鳴動させるように指示する（Ｓ３２）。音声制御部３５は、電話機能実行部３３の指示に従って、予め設定された着信音の音声データを再生し、第２音声出力部６から出力させる。ここで、着信音の音声データは、電話機能記憶部５１に格納されていてもよい。この構成では、音声制御部３５は、電話機能記憶部５１から、着信音の音声データを取得する。また、着信音は、ユーザによって選択されてもよいし、電話機１０に予め設定されたものであってもよい。
【０１１６】
その後、電話機能実行部３３は、１０００ｍｓの期間を待機した（Ｓ３３）後、着信音を一時的に停止させるよう、音声制御部３５に指示する（Ｓ３４）。音声制御部３５は、電話機能実行部３３の指示に従って、着信音の音声データを第２音声出力部６に出力することを停止する。ただし、音声制御部３５は、電話機能実行部３３からの指示を受けたとき、出力している着信音がメロディの途中であった場合、着信音を出力することを継続してもよい。
【０１１７】
Ｓ３３の後、擬似着信音鳴動処理は、電話機能実行部３３が２０００ｍｓの期間を待機する前述の処理（Ｓ３１）に戻る。電話機能実行部３３は、お名前確認デモ実行部３４２から、擬似着信音鳴動終了処理を実行するように指示される（後述するＳ２２４。図１１参照）まで、上述したＳ３１〜Ｓ３４の処理を繰り返す。
【０１１８】
図１１に示すように、上述したＳ２２３において、お名前確認デモ実行部３４２が、１０秒間、お名前確認ボタンＢ４を押下する操作を検出しなかった場合（Ｓ２２３でＮＯ）、お名前確認デモモードにおける処理Ｂは終了する。
【０１１９】
一方、お名前確認デモ実行部３４２が、１０秒が経過する前に、お名前確認ボタンＢ４を押下する操作を検出した場合（Ｓ２２３でＹＥＳ、図９のＥ２０−２参照）、お名前確認デモ実行部３４２は、電話機能実行部３３に対して、電話機１０が通話状態となった場合の動作を模擬して、着信音を停止させる処理である擬似着信音鳴動処理を実行するように指示する（Ｓ２２４）。
【０１２０】
電話機能実行部３３は、お名前確認デモ実行部３４２の指示に従って、擬似着信音鳴動終了処理を開始する。
【０１２１】
図１２の（ｂ）に示すように、擬似着信音鳴動終了処理において、電話機能実行部３３は、音声制御部３５に対して、着信音を停止させるように指示する（Ｓ４１）。音声制御部３５は、電話機能実行部３３の指示に従って、着信音の音声データを第２音声出力部６に出力することを停止する。
【０１２２】
図１１に示すように、Ｓ２２４の後、お名前確認デモモードにおける処理Ｂは、Ｓ２３に進む。Ｓ２３以降の処理Ｂの流れは、前記実施形態２で説明した処理Ａの流れと同じであるから、その説明を省略する。
【０１２３】
なお、以上では、お名前確認デモ実行部３４２が、電話機能実行部３３を制御することによって、お名前確認機能を発動している電話機１０の動作を電話機能実行部３３に模擬させる処理Ｂを説明した。しかしながら、お名前確認デモ実行部３４２が、電話機能実行部３３を介さず、音声制御部３５等を直接制御することによって、お名前確認機能を発動している電話機１０の動作を模擬してもよい。
【０１２４】
≪変形例１≫
上述したお名前確認デモモードの処理ＢのＳ２２１において、お名前確認デモ実行部３４２は、電話機能実行部３３に対して、擬似着信音鳴動処理を実行するように指示する代わりに、電話機１０の操作部２に設けられたキーを点灯させたり点滅させたりしてもよいし、表示部７の画面を点灯させたり点滅させたりしてもよい。すなわち、お名前確認デモ実行部３４２は、着信を受けていることをユーザに通知するための電話機１０の動作を模擬するならば、どのような動作を行ってもよい。
【０１２５】
また、一般的に、電話機１０が着信を受けている状態をユーザに通知するための動作は、ユーザが設定することができる。そして、お名前確認デモモードでは、お名前確認デモ実行部３４２（または電話機能実行部３３）は、その設定に従って、着信を受けていることを通知するための電話機１０の動作を模擬することが望ましい。つまり、お名前確認デモモードにおいて、お名前確認デモ実行部３４２は、着信を受けている状態を示す動作（通知動作）を模擬的に行うとき、お名前確認デモモード用に設定された固有の動作を行うのではなく、実際に着信を受けているときの電話機１０の動作と同じ動作を行うことが好ましい。
【０１２６】
さらに、ユーザが、着信音の設定や着信時のキーの点滅状態の設定も電話機１０のデモとして行うことができる場合、お名前確認デモ実行部３４２は、お名前確認デモモードにおいて、着信の通知動作を行うとき、上記デモにおいて設定された内容で動作することが望ましい。
【０１２７】
≪変形例２≫
上述の各実施形態では、電話機能模擬部３４によるデモモードの呼び出しは、第１のキー（アスタリスクキー）と、第２のキー（テンキー）と、第３のキー（電話帳ボタンＢ１）とを含む複数のキーを組み合わせた一連のボタン操作によって行われる構成である。しかし、本発明の電話機１、１０は、上記構成に限定されない。デモモードを呼び出すためのキーの割り当ては、操作性向上の効果と、誤操作の防止の効果とを考慮して、操作部２に設けられた任意の数の任意のキーを適宜選択して行えばよい。
【０１２８】
しかしながら、各実施形態のように、デモモードを呼び出すためのキーとして、上述の第１〜第３のキーを使用する場合には、実使用環境下で電話機１、１０を操作する場合に、誤ってデモモードが呼び出されるといった誤操作を防止できるという効果がある。
【０１２９】
第１のキーとしては、電話機１、１０に対して普段のいずれの操作を行う場合にでも、始めに使用されない（使用される機会が少ない）キーが割り当てられる。例えば、これに限定されないが、アスタリスクキーである。
【０１３０】
第２のキーとしては、電話機１、１０がデモンストレーションできる機能の数に応じて、デモしたい各機能を一意に特定できるよう、ある程度の規則性があって容易過ぎず且つ複雑過ぎない組み合わせを割り当てることが好ましい。例えば、これに限定されないが、３ケタの数字［７］＋［９］＋［各模擬機能に応じた任意の数字］としてもよい。このように、３ケタのうち２ケタを各模擬機能で共通化し、残りの１ケタで模擬機能の種類を特定することにより、各模擬機能の実行のさせ方を覚えやすくすることができる。さらに、ここで選択される数字キーは、テンキーの中でも物理的に離れた箇所に配置されているものの組み合わせとすることが好ましい。また、普段の使用時に頻繁に使用される［０］などを避けてキー割り当てを行うことが好ましい。これにより、ユーザは、デモモードを呼び出したいという意志を持って意図的に操作する必要があるので、隣接するキーを誤って押してしまい意図しない操作がなされるという不都合を回避できる。
【０１３１】
第３のキーとしては、通常の発信時の操作で最後に使用されない（使用される機会が少ない）特殊なキーであって、特殊とはいえ、電話機１、１０において性能別にさまざまなモデルがあったとしても、共通で搭載されるキーが割り当てられる。また、このキーは、電話の発信を行うためのキーから物理的に離れた位置のキーとすることが好ましい。例えば、これに限定されないが、電話帳ボタンＢ１である。電話機１、１０のどの機種にでも一般的に設けられるキーであって、電話機１、１０の発信操作に関わらないキーを第３のキーとして用いてもよい。これにより、デモモードを呼び出すつもりで誤発信してしまうといった不都合を回避することができる。
【０１３２】
また、上記実施形態では、電話機を例に説明を行ったが、特定の通信状態であるときに実行される機能である特定機能を所定のユーザ操作に応じて実行する通信装置であれば、電話機に限られず、本発明を適用可能である。さらに、上記特定機能についても、デモの対象となるような機能（ユーザが事前に体験することにニーズのある機能）であればよく、上記の例に限られない。また、デモは、店頭での体験に限られず、例えばユーザが通信装置を購入した後、その操作を練習するために用いられてもよい。
【０１３３】
〔ソフトウェアによる実現例〕
電話機１、１０の制御ブロック（特に、電話機能実行部３３および電話機能模擬部３４）は、集積回路（ＩＣチップ）等に形成された論理回路（ハードウェア）によって実現してもよいし、ＣＰＵ（Central Processing Unit）を用いてソフトウェアによって実現してもよい。
【０１３４】
後者の場合、電話機１、１０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１３５】
〔まとめ〕
本発明の態様１に係る通信装置（電話機１）は、自装置が特定の通信状態であるときに実行される機能である特定機能を所定のユーザ操作に応じて実行する特定機能実行手段（電話機能実行部３３）を備えた通信装置であって、上記特定機能を模擬した模擬機能を、上記特定機能を実行させるためのユーザ操作と同一のまたは対応するユーザ操作に応じて実行する模擬機能実行手段（電話機能模擬部３４）と、自装置が上記特定の通信状態ではない期間において、上記特定機能実行手段が上記特定機能を実行することなく、上記模擬機能実行手段が上記模擬機能を実行するように制御する機能実行制御手段（モード切替部３２）と、を備えている。
【０１３６】
上記の構成によれば、特定の通信状態ではない期間において、特定機能実行手段が特定機能を実行することなく、模擬機能実行手段が模擬機能を実行するように制御する。また、模擬機能実行手段は、特定機能を実行させるためのユーザ操作と同一のまたは対応するユーザ操作に応じて模擬機能を実行する。
【０１３７】
したがって、上記通信装置のユーザは、特定の通信状態ではない期間において、特定機能を実行させるためのユーザ操作と同一のまたは対応する操作を行うことにより、当該特定機能を模擬した模擬機能を実行させることができる。つまり、上記の構成によれば、特定の通信状態ではない期間において、特定の通信状態であるときに所定の操作を行うことに応じて実行される通信装置の特定機能をユーザに模擬的に体験させることができるという効果を奏する。なお、上記特定の通信状態とは、通信装置が遷移し得る通信状態であればよい。例えば、通信装置が電話機である場合、着信時（受話前）の状態や、通話中の状態を、上記特定の通信状態としてもよい。
【０１３８】
本発明の態様２に係る通信装置は、上記態様１において、上記模擬機能実行手段は、上記特定機能が実行されるときの自装置の物理的な状態を再現するユーザ操作を行わせるための通知を行い、当該状態が再現されており、かつ模擬機能を実行させるためのユーザ操作が行われたときに当該模擬機能を実行してもよい。
【０１３９】
上記の構成によれば、特定機能が実行されるときの自装置の物理的な状態を再現するユーザ操作を行わせるための通知を行い、当該物理的な状態が再現されている状態となった場合に模擬機能を実行させる。
【０１４０】
したがって、通信装置が特定の物理的な状態となっているときに実行される特定機能を、その物理的な状態を再現した上でユーザに疑似体験させることができる。例えば、上記通信装置が電話機である場合に、受話器を上げた状態で実行される特定機能に対応する模擬機能を、ユーザに受話器を上げさせた状態で体験させることもできる。
【０１４１】
本発明の態様３に係る通信装置は、上記態様１または２において、上記模擬機能を実行させるためのユーザ操作として、上記特定機能を実行させるためのユーザ操作と同一のユーザ操作を含む、複数種類のユーザ操作が設定されており、自装置の備える１または複数の機能を紹介する出力を行う機能紹介手段（販促機能実行部３３１）を備え、上記機能実行制御手段は、上記機能紹介手段が機能の紹介を行っている期間には、複数種類の上記ユーザ操作のうち、上記特定機能を実行させるためのユーザ操作と同一のユーザ操作に応じて上記模擬機能実行手段が上記模擬機能を実行するように制御してもよい。
【０１４２】
上記の構成によれば、機能の紹介中には、特定機能を実行する操作と同じ操作によって、模擬機能を実行させることができる。したがって、機能の紹介中という、ユーザに機能を体験させる必要性が高く、また通信などの他の処理が発生する可能性の低い状況下において、容易に模擬機能を実行させることができる。
【０１４３】
本発明の態様４に係る通信装置は、上記態様３において、複数のキーからなる操作部２を備え、上記模擬機能を実行させるためのユーザ操作として、上記キーを複数使用したユーザ操作を含む、複数種類のユーザ操作が設定されており、上記機能実行制御手段は、上記機能紹介手段が機能の紹介を行っていない期間には、複数種類の上記ユーザ操作のうち、キーを複数使用したユーザ操作に応じて上記模擬機能実行手段が上記模擬機能を実行するように制御してもよい。
【０１４４】
上記の構成によれば、機能の紹介を行っていない期間には、キーを複数使用した操作を行わなければ、模擬機能が実行されない。したがって、機能の紹介を行っておらず、通信などの他の処理が発生する可能性のある状況下において、誤って模擬機能を実行させてしまうことを防ぐことができる。
【０１４５】
本発明の態様５に係る通信装置（電話機１０）は、上記態様１から４において、上記模擬機能実行手段（電話機能模擬部３４）は、自装置が上記特定の通信状態ではない期間において、自装置が上記特定の通信状態にあることをユーザに通知するために上記特定機能実行手段が行う通知を模擬してもよい。
【０１４６】
上記の構成によれば、ユーザは、通信装置が特定の通信状態ではない期間において、通信装置が特定の通信状態にあることの通知を体験することができる。これにより、ユーザは、どのような通知を受けたときに、通信装置が特定の通信状態にあるかを知ることができる。換言すれば、ユーザは、どのような通知を受けたときに、通信装置の特定機能を使用することができるのかを知ることができる。このように、ユーザは、通信装置の特定機能を使用することができる状況が再現された状況において、特定装置を実行する操作を体験することができるので、特定機能を実際に使用する際には操作方法に迷うことがない。
【０１４７】
本発明の態様６に係る通信装置は、上記態様１から５において、上記特定機能は、通信相手から受信した音声の出力音量を所定の大きさに変更する音量変更機能を含み、上記音量変更機能を模擬した模擬機能は、上記音量変更機能による変更後の音量と、該音量よりも小さい音量とを切り替えて、自装置のユーザに向けて音声出力する機能であってもよい。
【０１４８】
上記の構成によれば、ユーザは、特定の通信状態ではない期間において、音量変更機能によって変更された出力音量を体感することができる。また、上記音量変更機能による変更後の音量よりも小さい音量による音声出力への切り替えも行われるため、当該２つの音量の比較により、音量変更機能によって変更された出力音量がどの程度の音量であるかを相対的に把握することができる。
【０１４９】
本発明の態様７に係る通信装置は、上記態様１から６において、上記通信装置は、電話機であり、上記特定機能には、着信があったときに、通信相手の名前を問う音声を当該通信相手に対してオンフック状態のまま送信する名前確認機能が少なくとも含まれており、上記名前確認機能を模擬した模擬機能は、通信相手の名前を問う上記音声を、自装置のユーザに対して出力する機能であってもよい。
【０１５０】
上記の構成によれば、着信していない期間においても、名前確認機能をユーザに体験させることができる。
【０１５１】
本発明の態様８に係る通信装置の制御方法は、通信装置が特定の通信状態であるときに実行される機能である特定機能を、所定のユーザ操作に応じて実行する通信装置の制御方法であって、上記通信装置が上記特定の通信状態ではない期間において、上記特定機能を実行することなく、上記特定機能を模擬した模擬機能を実行するように制御する機能実行制御ステップ（Ｓ２／Ｓ２２）と、上記模擬機能を、上記特定機能を実行させるためのユーザ操作と同一のまたは対応するユーザ操作に応じて実行する模擬機能実行ステップ（Ｓ３〜Ｓ１１／Ｓ２３〜Ｓ３１）と、を含む。
【０１５２】
上記の構成によれば、態様１と同様の効果を奏する。
【０１５３】
本発明の各態様に係る通信装置は、コンピュータによって実現してもよく、この場合には、コンピュータを上記通信装置が備える各手段として動作させることにより上記通信装置をコンピュータにて実現させる通信装置の制御プログラム、およびそれを記録したコンピュータ読み取り可能な記録媒体も、本発明の範疇に入る。
【０１５４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１５５】
本発明は、通信装置、特に、電話機などの音声通話機能を有する通信装置に好適に利用することができる。
【符号の説明】
【０１５６】
１、１０  電話機（通信装置）
２  操作部
３２  モード切替部（機能実行制御手段）
３３  電話機能実行部（特定機能実行手段）
３４  電話機能模擬部（模擬機能実行手段）
３３１  販促機能実行部（機能紹介手段）
Ｓ２、Ｓ２２  機能実行制御ステップ
【図１】
2015144413.tif 000003
【図２】
2015144413.tif 000004
【図３】
2015144413.tif 000005
【図４】
2015144413.tif 000006
【図５】
2015144413.tif 000007
【図６】
2015144413.tif 000008
【図７】
2015144413.tif 000009
【図８】
2015144413.tif 000010
【図９】
2015144413.tif 000011
【図１０】
2015144413.tif 000012
【図１１】
2015144413.tif 000013
【図１２】
2015144413.tif 000014